(57)【要約】【課題】浴槽フランジと壁間に立て掛けた時、浴槽フランジと蓋エラストマーが点接触して、水分が乾き易く、カビが生え難くなる風呂蓋の支持構造を提供する。【解決手段】外周をエラストマー４ａ，５ａで囲まれた２以上の分割板４，５で構成される風呂蓋３を、下端側を浴槽フランジ１ａに当接させ、上端側を浴室壁面２ｂに立て掛けて支持させる構造において、浴槽フランジ１ａには、分割板４，５の外周を点接触させるための２ヵ所の突条７，８が、それぞれ上方へ突出されており、各突条７，８には、分割板４，５が一定の空間を持って立て掛けられるように、高さの異なる２以上の段差が形成されている。【選択図】                図１
2004237065.tif 000002
【特許請求の範囲】
【請求項１】
それぞれ外周をエラストマーで囲まれた２以上の分割板で構成される風呂蓋を、下端側を浴槽フランジ上に当接させ、上端側を浴室壁面に立て掛けて支持させる構造において、前記各分割板の外周のエラストマー部には、前記浴槽フランジと点接触させるための、少なくとも１ヵ所の突起が設けられていることを特徴とする風呂蓋の支持構造。
【請求項２】
それぞれ外周をエラストマーで囲まれた２以上の分割板で構成される風呂蓋を、下端側を浴槽フランジ上に当接させ、上端側を浴室壁面に立て掛けて支持させる構造において、前記浴槽フランジには、前記各分割板の外周を点接触させるための、少なくとも１ヵ所の突条が上方へ突出されているとともに、突条には、前記２以上の分割板が一定の空間を持って立て掛けられるように、高さの異なる２以上の段差が形成されていることを特徴とする風呂蓋の支持構造。
【請求項３】
前記突条が、前記浴槽フランジに後付けできる別部材で構成されていることを特徴とする請求項２に記載の風呂蓋の支持構造。
【発明の詳細な説明】
【０００１】
【発明の属する技術分野】
この発明は、外周をエラストマーで囲まれた２以上の分割板で構成される風呂蓋の支持構造に関するものである。
【０００２】
【従来の技術及び発明が解決しようとする課題】
従来、図１７に示すように、浴槽１の上面を蓋するための風呂蓋３が、２以上の分割板４，５で構成されて、それぞれの分割板４，５の外周がエラストマー４ａ，５ａで囲まれている場合、浴槽１のフランジ１ａ上に下端を当接させ、上端側を浴槽壁面２ｂに立て掛けて支持させると、図１８の拡大断面図で示すように、分割板４，５のそれぞれのエラストマー４ａ，５ａ同士が接触し、また、エラストマー４ａ，５ａが、浴槽フランジ１ａに線で接触するために、この部分の水分が乾き難く、エラストマー４ａ，５ａの部分にカビが生え易いという問題点があった。
なお、従来、特許文献１に開示されているように、複数の分割板をフック等で支持させ、空間を開けた状態にして、乾き易くする支持構造が存在する。
【０００３】
【特許文献１】
実公平７−７８３１号公報
【０００４】
【課題を解決するための手段】
本発明は、上記従来の問題点に鑑み案出したものであって、浴槽フランジと浴室壁面間に立て掛けた時に、水分が乾き易く、カビが生え難くなる風呂蓋の支持構造を提供せんことを目的とし、その第１の要旨は、それぞれ外周をエラストマーで囲まれた２以上の分割板で構成される風呂蓋を、下端側を浴槽フランジ上に当接させ、上端側を浴室壁面に立て掛けて支持させる構造において、前記各分割板の外周のエラストマー部には、前記浴槽フランジと点接触させるための、少なくとも１ヵ所の突起が設けられていることである。
【０００５】
また第２の要旨は、それぞれ外周をエラストマーで囲まれた２以上の分割板で構成される風呂蓋を、下端側を浴槽フランジ上に当接させ、上端側を浴室壁面に立て掛けて支持させる構造において、前記浴槽フランジには、前記各分割板の外周を点接触させるための、少なくとも１ヵ所の突条が上方へ突出されているとともに、突条には、前記２以上の分割板が一定の空間を持って立て掛けられるように高さの異なる２以上の段差が形成されていることである。
また第３の要旨は、前記突条が、前記浴槽フランジに後付けできる別部材で構成されていることである。
【０００６】
【発明の実施の形態】
以下、本発明の実施例を図面に基づいて説明する。
図１は、風呂蓋を、浴槽フランジと浴室壁面間に立て掛けた状態の斜視構成図であり、浴槽１は、浴室壁面２ａ，２ｂのコーナー部に設けられ、浴槽１の上面外周には外側へ略水平に突出してフランジ１ａが一体形成されて、このフランジ１ａ上には、２本の突条７，８が、それぞれ上方へ突出状に一体形成されており、この各突条７，８は、浴室壁面２ａに平行状に、浴室壁面２ｂに対しては直交状に形成されたものであり、図２には、その１つの突条８の断面拡大構成図を示す。
【０００７】
浴槽１のフランジ１ａに一体形成された突条８は、第１段差部８ａと、第１段差部８ａよりも高さの高い第２段差部８ｂを有し、浴室壁面２ｂ側では、第２段差部８ｂよりも更に上方に立ち上げて背突部８ｃが一体形成されている。
なお、風呂蓋３は、２枚の分割板４，５で構成されており、分割板４及び５のそれぞれの外周は、エラストマー部４ａ，５ｂで囲まれている。
【０００８】
この風呂蓋３を、図２のように、分割板４は、突条７，８の第１段差部８ａに下端を当接させ、分割板５は、第２段差部８ｂに下端を当接させて、浴室壁面２ｂに立て掛けた状態では、第１段差部８ａと第２段差部８ｂでは高さの差があるため、分割板４と分割板５間に一定の空間が形成されることとなる。
このため、分割板４，５同士が空間を形成し、良好に乾かすことができ、分割板４，５のそれぞれのエラストマー部４ａ，５ｂが接触することがなく、その部分に水分が残ることがないため、カビが生え難いものとなる。
しかも、浴槽１のフランジ１ａに突出形成された２本の突条７，８上に、分割板４，５がそれぞれ点接触で当接され、従来のような面接触ではないため、水分が乾き易く、カビが生え難いものとなる。
【０００９】
なお、図３に示すように、分割板４，５のエラストマー部４ａ，５ａの、使用時に当接される当接辺４Ｐ及び５Ｐを除く、何れかの辺に、少なくとも１個の突起４ｂ，４ｂ，５ｂ，５ｂを、図４のように一体形成させておけば、この突起４ｂ，４ｂ，５ｂ，５ｂを浴槽のフランジ１ａの面に接触させると、点接触となり、水分が乾き易く、カビが生え難いものとなる。
即ち、図３のように、分割板４，５側に突起４ｂ，４ｂ，５ｂ，５ｂを形成させた場合には、浴槽のフランジ１ａ側の突条７，８は省略することができるものとなる。
【００１０】
更には、前記浴槽のフランジ１ａ側に形成された突条７，８を、別部材で構成して、取り外し可能とすることもできる。
即ち、図５の側面図で、図６の正面図で示す突条８は、上面側に、高さの異なる第１段差部８ａ，第２段差部８ｂと、第２段差部８ｂよりも突出した背側の背突部８ｃを有して、下面８ｄには吸盤９，９が設けられたものであり、この吸盤９，９を浴槽のフランジ１ａに吸着させて、フランジ１ａ上に着脱可能に後付けできるものである。
このような別部材で構成された突条７，８を用いる場合には、この突条７，８を取り外して、良好にフランジ１ａを掃除することができ、清掃性も良好なものとなる。
【００１１】
なお、良好に点接触させるために、突条７，８の第１段差部８ａ及び第２段差部８ｂは、幅方向の中央部が上方へ盛り上がった曲面に形成させておくことが好ましい。また、第１段差部８ａ及び第２段差部８ｂを、それぞれ背突部８ｃ側へ向かって下傾状に形成させておくと、突条７，８から分割板４，５が脱落するのを良好に防ぐことができるものとなる。
【００１２】
次に、図７で示す構造は、１個の突条８のみを用いた場合であり、このように１個の突条８を浴槽のフランジ１ａ上に取り付けておき、この突条８上に、図８に示すように、分割板４，５を傾斜状にして置くことができる。
即ち、図８における分割板４，５の右端側は、突条８上に載せられ、分割板４，５の左端側は、浴槽１のフランジ１ａ上に載せられ、点接触となり、矢印で示す方向に水滴が流れて、良好に水滴を流すことができ、分割板４，５を良好に乾かすことができるものとなる。
【００１３】
なお、突条８は、例えば、図９の斜視図で、図１０の平面図で、図１１の正面図で、また図１２の側面断面図で示すような形状に形成しておくことができる。即ち、この突条８は、分割板４を置くことのできる第１段差部８ａと、分割板５を置くことのできる第２段差部８ｂが前後に間隔をおいて形成されており、下面にはフランジ１ａに吸着される吸盤９が設けられている。
【００１４】
なお、突条８は、全体があんぱん状の平面略円形に形成されており、前端には、垂直に切り欠いた位置合わせ面８ｐが形成されており、この位置合わせ面８ｐから、第１段差部８ａに向かって曲面状の前傾斜部８ｅが形成され、また、第２段差部８ｂの後端には、曲面状の後傾斜部８ｆが形成されている。
なお、左右方向の中央部には、前側から後側に向かって上方へ突出する中央凸部８ｇが形成されており、この中央凸部８ｇ上に分割板４，５がそれぞれ点接触で接触するように構成されている。
【００１５】
なお、突条８は、吸盤９に代えて、図１３の断面図で示すように、下面側に磁石１０を内蔵させておくこともでき、この場合には、図１４に示すように、浴槽１のフランジ１ａの裏側に金属板１１を予め固設させておき、この金属板１１に磁石１０を磁着させて突条８を着脱できるものである。
【００１６】
なお、図１５は、浴槽１の上面を分割板４，５で蓋した風呂蓋３の使用状態平面図であり、この場合に、分割板４または分割板５を、突条８の位置合わせ面８ｐに当接させて位置合わせし、良好に浴槽１の上面開口の全域を風呂蓋３で蓋することができ、従来のように、分割板４，５を浴槽１の上面でずらして位置合わせする必要がなく、良好に位置合わせして蓋することができるものとなる。
【００１７】
なお、突条８は、図９のような形状に限らず、例えば図１６に示すような形状に形成しても良く、図１６においても、第１段差部８ａと第２段差部８ｂが形成されており、幅方向中央部には、上方へ一体状に立ち上げられて中央凸部８ｇが形成されている。
【００１８】
【発明の効果】
本発明は、それぞれ外周をエラストマーで囲まれた２以上の分割板で構成される風呂蓋を、下端側を浴槽フランジ上に当接させ、上端側を浴室壁面に立て掛けて支持させる構造において、各分割板の外周のエラストマー部には、浴槽フランジと点接触させるための、少なくとも１ヵ所の突起が設けられていることにより、分割板を浴槽のフランジと浴室の壁面間に立て掛けた時、エラストマー部と浴槽のフランジが突起を介して点接触するために、水分が乾き易くなり、カビが生え難いものとなる。
【００１９】
また、それぞれ外周をエラストマーで囲まれた２以上の分割板で構成される風呂蓋を、下端側を浴槽フランジ上に当接させ、上端側を浴室壁面に立て掛けて支持させる構造において、浴槽フランジには、各分割板の外周を点接触させるための、少なくとも１ヵ所の突条が上方へ突出されているとともに、突条には、２以上の分割板が一定の空間を持って立て掛けられるように、高さの異なる２以上の段差が形成されていることにより、分割板を浴槽のフランジと浴室の壁面間に立て掛けた時、エラストマー部と浴槽のフランジが突条を介して点接触するために、水分が乾き易くなり、カビが生え難いものとなる。また、段差により、分割板同士が空間を形成し、各分割板のエラストマー部同士が接触することがなく、その部分に水分が残ることがないため、カビが生え難いものとなる。
【００２０】
また、突条が、浴槽フランジに後付けできる別部材で構成されていることにより、突条を浴槽フランジから容易に外すことができ、浴槽フランジ及び突条の掃除が容易にでき、清潔に維持できる効果を有する。
【図面の簡単な説明】
【図１】突条を有する浴槽フランジに風呂蓋を立て掛けた状態の斜視構成図である。
【図２】風呂蓋の立て掛け状態を示す突条の断面構成図である。
【図３】エラストマー部に突起を一体形成させた２枚の分割板の平面構成図である。
【図４】エラストマー部に一体形成された突起の拡大構成図である。
【図５】別体で形成された突条の側面図である。
【図６】別体で形成された突条の正面図である。
【図７】１個の突条を用いた場合の、風呂蓋の立て掛け状態の斜視構成図である。
【図８】図７の正面構成図である。
【図９】突条の斜視構成図である。
【図１０】図９の平面構成図である。
【図１１】図１０の正面構成図である。
【図１２】図１０の側面断面構成図である。
【図１３】磁石を用いた場合の突条の側面断面構成図である。
【図１４】磁石を用いた突条の取付構造を示す要部斜視構成図である。
【図１５】突条の位置合わせ面に当接させて風呂蓋を浴槽上面に覆設した状態の平面構成図である。
【図１６】突条の変形例を示す斜視構成図である。
【図１７】従来の風呂蓋の立て掛け状態を示す斜視構成図である。
【図１８】従来の立て掛け状態において、水が残ってしまった状態の要部拡大構成図である。
【符号の説明】
１    浴槽
１ａ    フランジ
２ａ，２ｂ    浴室壁面
３    風呂蓋
４，５    分割板
４ａ，５ａ    エラストマー部
４ｂ，５ｂ    突起
７，８    突条
８ａ    第１段差部
８ｂ    第２段差部
８ｃ    背突部
８ｄ    下面
８ｅ  前傾斜部
８ｆ  後傾斜部
８ｇ  中央凸部
８ｐ  位置合わせ面
９    吸盤
１０  磁石
１１  金属板
【図１】
2004237065.tif 000003
【図２】
2004237065.tif 000004
【図３】
2004237065.tif 000005
【図４】
2004237065.tif 000006
【図５】
2004237065.tif 000007
【図６】
2004237065.tif 000008
【図７】
2004237065.tif 000009
【図８】
2004237065.tif 000010
【図９】
2004237065.tif 000011
【図１０】
2004237065.tif 000012
【図１１】
2004237065.tif 000013
【図１２】
2004237065.tif 000014
【図１３】
2004237065.tif 000015
【図１４】
2004237065.tif 000016
【図１５】
2004237065.tif 000017
【図１６】
2004237065.tif 000018
【図１７】
2004237065.tif 000019
【図１８】
2004237065.tif 000020